(57)【特許請求の範囲】
【請求項１】
複数のボアを並設したシリンダブロックと、該各ボアに対応した吸入口及び吐出口を有する弁板と、吸入弁及び吐出弁を装着した該弁板を挟んで上記シリンダブロックの外端を閉塞するシリンダヘッドと、該シリンダヘッド内に画設された吸入室及び吐出室とを備え、上記各ボアに挿嵌されたピストンが所定の位相差をもって往復動する形式の圧縮機において、冷凍回路に接続される吸入フランジと、機体軸心と直交する向きに配設するとともに、拡大した断面積をもつ拡張部と縮小した断面積をもつ縮小部とをもち、かつ一端から他端にかけて延びる吸入通路と、該吸入通路と該吸入室を連通する複数の枝孔と、からなる往復動型圧縮機。
【請求項２】
前記枝孔の一つは前記拡張部と前記吸入室とを連通し、前記枝孔の他の一つは前記縮小部と該吸入室とを連通する請求項１記載の往復動型圧縮機。
【請求項３】
上記吸入通路は枝孔を介して上記吸入室内の径方向に懸隔する少なくとも二つの領域と連通せしめられている請求項１又は２記載の往復動型圧縮機。
【発明の詳細な説明】
【０００１】
【産業上の利用分野】
本発明は、車両空調用に供して好適な圧縮機に係り、主として単頭形のピストンを内装した多気筒往復動型圧縮機に関する。
【０００２】
【従来の技術】
従来この主の圧縮機として、固定斜板を備えた定容量型圧縮機や傾角変位可能な回転斜板を備えた可変容量型圧縮機が知られている。
これらの圧縮機は、図５及び図６に例示するように、複数のボア２を並設したシリンダブロック１と、各ボア２に対応した吸入口３及び吐出口４を有する弁板５と、吸入弁３ａ及び吐出弁４ａを装着した同弁板５を挟んでシリンダブロック１の外端を閉塞するシリンダヘッド６とを備えており、各ボア２に挿嵌されたピストン７が所定の位相差をもって往復動するように構成されている。そしてシリンダヘッド６の内部には、中央域に吐出室８、同外周域には吸入室９が画設されており、吐出室８は吐出フランジ１０の吐出孔１１に連通され、吸入室９は吸入フランジ１２の吸入孔１３と連通されている。
【０００３】
したがって、圧縮機が駆動されると、蒸発器に接続された回路配管から吸入孔１３を通って吸入室９に導かれた冷媒ガスは、各吸入口３を経て順次吸入過程にあるボア２に吸入され、圧縮された冷媒ガスは各吐出口４から順次吐出室８に吐出されて、吐出孔１１を経由凝縮器に接続された回路配管へと送出される。
【０００４】
【発明が解決しようとする課題】
ところが、図５に明示されているごとく、一般に吸入室の形状は設計上の制約などから複雑なものとなることが多く、吸入室に開口する吸入孔の近傍位置と、同開口から最も離隔した位置とでは、ガス流れに伴う圧力損失により意外に大きな圧力差が生じ、例えば３０００ｒ．ｐ．ｍの回転数において、その値は０．５〜１ｋｇ／ｃｍ２  にも達する。このため、吸入孔開口部から遠隔した吸入口と対応するボアほど常に希薄な冷媒ガスを吸入することとなり、体積効率の低下ばかりでなく、これら不均一な吸入が吸入脈動に起因する関連機器の振動や騒音を増幅させる。
【０００５】
勿論、このような吸入脈動の低減対策として、吸入室を隔壁によって軸方向に仕切ることによりマフラ効果をもたせた技術（実開昭６１ー１４５８８４号）や、吸入と吐出の差こそあれ、シリンダヘッドの外端に更にカバー部材を重装して、内部に形成した円形状拡張空間の全域をマフラとして機能させるようにした技術（特開昭５６ー４４４８１号）などが提案されている。
【０００６】
しかしながら、これらの提案はいずれも圧縮機の軸方向にガス流路の容積拡張部を設ける構成であり、特に小型化の要求の強い車両空調用圧縮機では軸長の拡大に厳しい制限があるうえ、吸入弁の脈動に起因する５００〜８００Ｈｚ程度の脈動成分の減衰には、拡張型マフラに少なくとも５０ｍｍ以上の長さが必要となる全く相反した機能上の制約がある。
【０００７】
また、上述した後者の提案技術のように、シリンダヘッド端面のほぼ全域に及ぶような拡張空間をもって吸入マフラを構成しようとすれば、該拡張空間と吐出室（高温域）との隣接面積が必然的に拡大されるので、吸入ガスの加熱に基づく性能低下など新たな不具合を誘起することにもなりかねない。
本発明は、圧力損失に基づく吸入脈動並びに吸入弁の脈動に基づく吸入脈動を同時に減衰させることを、解決すべき技術課題とするものである。
【０００８】
【課題を解決するための手段】
本発明は上記課題解決のため、複数のボアを並設したシリンダブロックと、該各ボアに対応した吸入口及び吐出口を有する弁板と、吸入弁及び吐出弁を装着した該弁板を挟んで上記シリンダブロックの外端を閉塞するシリンダヘッドと、該シリンダヘッド内に画設された吸入室及び吐出室とを備え、上記各ボアに挿嵌されたピストンが所定の位相差をもって往復動する形式の圧縮機において、冷凍回路に接続される吸入フランジと、機体軸心と直交する向きに配設するとともに、拡大した断面積をもつ拡張部と縮小した断面積をもつ縮小部とをもち、かつ一端から他端にかけて延びる吸入通路と、該吸入通路と該吸入室を連通する複数の枝孔と、からなる新規な構成を採用している。
本発明の好適な形態として、上記吸入通路は枝孔を介して吸入室内の径方向に懸隔する少なくとも二つの領域と連通せしめられている。
【０００９】
本発明の好適な形態として、上記吸入通路は枝孔を介して吸入室内の径方向に懸隔する少なくとも二つの領域と連通せしめられている。
【００１０】
【作用】
圧縮機が駆動されると、冷凍回路に接続される吸入フランジから吸入通路及びその一部をなす枝孔を介して吸入室に流入した冷媒ガスは、各枝孔からそれぞれ至近位置に開口されている吸入口を経て各ボアの円滑に吸入され、吸入室内の流路抵抗に基づく圧力損失は合理的に低減されるので、圧力損失に伴う比較的低周波成分の脈動は付随的に低減される。
【００１１】
また、上記吸入通路には拡張部と縮小部とからなる脈動減衰部が形成されており、しかも該拡張部は機体の軸心と直交する向きに延びて、圧縮機の軸長に大きな影響をもたらすことなく、必要にして十分な長さを確保しうるので、吸入弁の振動に基づく比較的高周波成分の脈動も至極良好に減衰される。
【００１２】
【実施例】
以下、図１〜図４に基づいて本発明の実施例を具体的に説明する。なお、従来装置と同等の構成要素には同一の符号を付して詳細な説明は省略する。
すなわち、弁板５を挟んでシリンダブロック１の外端を閉塞するシリンダヘッド２０の側端壁にはほぼＴ字形をなす膨出部２０ａが形成されており、その内部には機体軸心と直交する向きに延びる吸入通路２１が配設されている。該吸入通路２１は図３及び図４から明らかなように、長孔形断面をもつ拡張部２１ａと円形断面の縮小部２１ｂとによって形成される脈動減衰部を有し、該拡張部２１ａ及び縮小部２１ｂの各々は、同様に吸入通路２１の一部を構成し、かつ吸入室９の底壁を貫通する枝孔２１ｃ、２１ｃ′を介して、該吸入室内９内の互いに懸隔する二つの領域と連通せしめられている。なお、上記拡張部２１ａの開口端はシール要素２２を容して吸入フランジ２３により覆蓋されており、上記吸入通路２１に連なる吸入フランジ２３の吸入孔２４は、図示しない蒸発器から延設される吸入系冷凍回路と接続されている。
【００１３】
したがって、圧縮機が駆動されて順次吸入行程へと移行する各ボア２には、対応する吸入口３及び該吸入口３から至近位置に開口されている各枝孔２１ｃ、２１ｃ′を介して冷媒ガスが円滑に吸入され、吸入室９内の流路抵抗に基づく圧力損失は合理的に低減されるので、圧力損失に伴う比較的低周波成分の脈動は付随的に低減される。
【００１４】
とくに本発明における上記吸入通路２１には、拡張部２１ａと縮小部２１ｂとからなる脈動減衰部がマフラとして機能しており、しかも該拡張部２１ａは機体の軸心と直交する向きに延びて、圧縮機の軸長にさほど大きな影響をもたらすことなく、必要にして十分な長さを確保しうるので、吸入弁３ａの振動に基づく比較的高周波成分の脈動も併せて良好に減衰される。
【００１５】
なお、上述の実施例では、冷媒ガスが吸入室９内の互いに懸隔する二つの領域と連通する枝孔２１ｃ、２１ｃ′を介して吸入される構成について説明したが、吸入通路２１の一部から更に増設した枝孔を通じて吸入室９内の他の領域とも連通させれば、各ボア２に吸入される冷媒ガスの圧力格差を一層均斉化させることができる。また、吸入室９の深さを局部的に拡大し、その内周壁に吸入通路２１の縮小部２１ｂを直接開口させて図示枝孔２１ｃ′を省略するように構成することもできる。
【００１６】
【発明の効果】
以上、詳述したように本発明は、冷凍回路に接続される吸入フランジと、機体軸心と直交する向きに配設するとともに、拡大した断面積をもつ拡張部と縮小した断面積をもつ縮小部とをもち、かつ一端から他端にかけて延びる吸入通路と、該吸入通路と該吸入室を連通する複数の枝孔と、からなるものであるから、各ボアに吸入される冷媒ガスの圧力格差が均斉化されて、圧力損失に基づく吸入脈動が合理的に低減されると同時に、吸入通路に形成した脈動減衰部の機能により、吸入弁の振動に伴って生じる異質の脈動成分も至極良好に減衰させることができる。
【図面の簡単な説明】
【図１】本発明の実施例に係る圧縮機のリヤハウジングを示す断面側面図。
【図２】本発明の実施例に係る圧縮機の吸入通路を示す断面正面図。
【図３】本発明の実施例に係る圧縮機の吸入通路を示す側面図。
【図４】本発明の実施例に係る圧縮機の吸入通路を示す図３のＡーＡ線矢視図。
【図５】従来圧縮機のリヤハウジングを示す断面側面図。
【図６】従来圧縮機のリヤハウジングを示す断面正面図。
【符号の説明】
１はシリンダブロック、２はボア、３は吸入口、３ａは吸入弁、５は弁板、８は吐出室、９は吸入室、２０はシリンダヘッド、２１は吸入通路、２１ａは拡張部、２１ｂは縮小部、２１ｃ、２１ｃ′は枝孔、２３は吸入フランジ、２４は吸入孔
【図１】
0003550623.tif 000002
【図２】
0003550623.tif 000003
【図３】
0003550623.tif 000004
【図４】
0003550623.tif 000005
【図５】
0003550623.tif 000006
【図６】
0003550623.tif 000007